(57)【特許請求の範囲】
【請求項１】
被検者が視線を略水平にして前方の指標を注視した状態で行なう必要がある測定に際して、前記指標を掲示する指標掲示装置であって、
身長値を示す目盛が設けられた面状の指標掲示部材と、
該指標掲示部材上の任意の目盛位置に移動して固定可能で、かつ、指標となる指標部とを具備してなり、
前記指標掲示部材を所定の高さに設置した状態で、前記指標掲示部材に設けられた目盛の各身長値を示す各目盛位置の高さが、前記各身長値に対応する身長を有する被検者の眼の高さに略対応するように前記目盛が前記指標掲示部材に設けられていることを特徴とする指標掲示装置。
【請求項２】
被検者が視線を略水平にして前方の指標を注視した状態で行なう必要がある測定に際して、前記指標を掲示する指標掲示装置であって、
身長値を示す目盛が設けられるとともに、一方の端部に前記指標となる指標部が設けられた帯状部材と、
該帯状部材の他方の端部側を中心側にして巻き込んだ状態で、前記帯状部材を前記一方の端部側から引き出し自在に保持する保持部材と、
該保持部材に設けられ、かつ、前記帯状部材の一方の端部を引き出した際に、移動する目盛に対して一定の位置を指し示す目盛指示部とを具備してなり、
前記保持部材を所定の高さに設置するとともに、前記目盛指示部が指し示す目盛値が被検者の身長値となるように前記帯状部材の一方の端部を引き出した際に、前記指標部の位置が前記被検者の眼の高さに略対応するように前記目盛が前記帯状部材に設けられていることを特徴とする指標掲示装置。
【発明の詳細な説明】
【０００１】
【発明の属する技術分野】
本発明は、指標掲示装置に係り、詳細には、被検者が視線を略水平にして前方の指標を注視した状態で行なう必要がある測定に際して、前記指標を掲示する指標掲示装置であり、特に、重心動揺計により被検者の重心動揺測定を行なう際に用いられる指標掲示装置に関する。
【０００２】
【従来の技術】
めまい、平衡障害の診断において中心となる平衡機能検査や、リハビリテーション医学、体育・スポーツ医学等の分野では、直立姿勢時おける身体動揺を重心の動揺として記録する重心動揺計（Ｓｔａｂｉｌｏｍｅｔｅｒ）が用いられている。
この重心動揺計を用いた平衡機能検査においては、開眼／閉眼の２つの状態における被検者の重心動揺測定を行なうが、この際、開眼検査では、被検者に被検者正面の、所定距離だけ離れた眼の高さに設置されている指標を注視させた状態で重心動揺測定を行なう。
【０００３】
従来、この開眼検査時に用いられる指標の設置については、各被検者ごとに眼の高さを測定し、被検者正面の、所定距離だけ離れた位置に存在する壁等の垂直面において、前記測定値に基づく高さに壁とは異なる色を有する指標を設置したり、あるいは、被検者を上記壁のそばに立たせて被検者の眼の位置に直接合わせて前記指標を設置したりしていた。
【０００４】
【発明が解決しようとする課題】
しかしながら、このような従来の開眼検査時における指標の設置環境については、以下に述べるような問題点があった。
すなわち、測定者は、各被検者ごとに眼の高さを測定して指標を設定したり、あるいは、眼の位置に直接合わせて指標を設置したりしなければならない。
また、重心動揺計を用いた平衡機能検査では、被検者は、靴を脱いだ状態で重心動揺計に備わる検出台に上がり、直立姿勢で重心動揺測定を受けることから、検出台の厚みを考慮した上で指標の設置を行なわなければならず、多数の被検者を連続して検査する場合等において、開眼検査時の指標設置作業に手間と時間を要し、検査効率が悪いという問題点があった。
【０００５】
そこで、本発明は、上記実状を考慮してなされたものであり、被検者が視線を略水平にして前方の指標を注視した状態で行なう必要がある測定に際して、被検者の身長値から容易にその眼の高さに指標を設置することのできる指標掲示装置を提供することを目的としている。
【０００６】
【課題を解決するための手段】
請求項１記載の発明は、
被検者が視線を略水平にして前方の指標を注視した状態で行なう必要がある測定に際して、前記指標を掲示する指標掲示装置であって、
身長値を示す目盛が設けられた面状の指標掲示部材と、
該指標掲示部材上の任意の目盛位置に移動して固定可能で、かつ、指標となる指標部とを具備してなり、
前記指標掲示部材を所定の高さに設置した状態で、前記指標掲示部材に設けられた目盛の各身長値を示す各目盛位置の高さが、前記各身長値に対応する身長を有する被検者の眼の高さに略対応するように前記目盛が前記指標掲示部材に設けられていることにより上記目的を達成している。
【０００７】
なお、前記指標掲示部材の形状は、面状のものであればよく、板状、シート状、帯状等であってもよい。また、その材質は、ステンレスやアルミ等の金属や合成樹脂、あるいは、紙や布等を用いることができる。
さらに、上記指標部は、前記指標掲示部材や壁等の背景となるものから容易に見分けることができる色や形状を有するものならばどのようなものでもよく、例えば、金属板や樹脂板、あるいは、紙や布等に背景とは異なる色を塗布したものを用いることができる。
【０００８】
よって、請求項１記載の発明によれば、
指標掲示部材を所定の高さに設置すると、前記指標掲示部材に設けられた目盛の各身長値を示す各目盛位置の高さが、前記各身長値に対応する身長を有する被検者の眼の高さに略対応する。
【０００９】
したがって、指標掲示部材上において、被検者の身長に対応する目盛値に指標を固定すると、該指標が被検者の眼の高さに設置されるので、被検者が視線を略水平にして前方の指標を注視した状態で行なう必要がある測定に際して、前記指標の設置に要する手間と時間を短縮することができ、検査効率を向上することが可能となる。
【００１０】
また、請求項２の発明は、
被検者が視線を略水平にして前方の指標を注視した状態で行なう必要がある測定に際して、前記指標を掲示する指標掲示装置であって、
身長値を示す目盛が設けられるとともに、一方の端部に前記指標となる指標部が設けられた帯状部材と、
該帯状部材の他方の端部側を中心側にして巻き込んだ状態で、前記帯状部材を前記一方の端部側から引き出し自在に保持する保持部材と、
該保持部材に設けられ、かつ、前記帯状部材の一方の端部を引き出した際に、移動する目盛に対して一定の位置を指し示す目盛指示部とを具備してなり、
前記保持部材を所定の高さに設置するとともに、前記目盛指示部が指し示す目盛値が被検者の身長値となるように前記帯状部材の一方の端部を引き出した際に、前記指標部の位置が前記被検者の眼の高さに略対応するように前記目盛が前記帯状部材に設けられていることにより上記目的を達成している。
【００１１】
なお、上記帯状部材は、紙、布、樹脂テープ、金属の薄板等のように柔軟性を有し、巻き込むことができるものならばどのようなものであってもよい。
また、この帯状部材に設けられた指標部は、帯状部材に塗布された塗料からなるものや、帯状部材に接着される板体等を用いることができる。
【００１２】
さらに、上記保持部材は、前記帯状部材を巻き込んだ状態で保持するとともに、該帯状部材を引き出し自在とする構成であれば、どのようなものであってもよい。
加えて、この保持部材においては、帯状部材の引き出された部分を容易に巻き戻せるようになっていることが望ましく、ゼンマイ等の動力を用いることにより引き出された部分が自動的に巻き戻される構成となっていることが好ましい。
この場合、帯状部材を任意の長さだけ引き出した状態で止められるように停止機構を設ける必要があり、例えば、周知の自動巻取り式の巻尺装置のような構成となっていることが好ましい。
【００１３】
よって、請求項２記載の発明によれば、
保持部材を所定の高さに設置するとともに、目盛指示部が指し示す目盛値が被検者の身長値となるように帯状部材の一方の端部を引き出すと、前記帯状部材に設けられた指標部の高さが前記被検者の眼の高さに略対応する。
【００１４】
したがって、被検者の身長に対応する目盛値が目盛指示部材により指し示されるように帯状部材を引き出すと、指標が被検者の眼の高さに設置されるので、被検者が視線を略水平にして前方の指標を注視した状態で行なう必要がある測定に際して、前記指標の設置に要する手間と時間を短縮することができ、検査効率を向上することが可能となる。
【００１５】
【実施の形態】
以下に、図１〜図５を参照して本発明に好適な実施の形態の例を詳細に説明する。
図１及び図２は、本発明を適用した指標掲示装置の実施の形態の第１例について示す図であり、図１は、実施の形態の第１例における指標掲示装置１の正面図であり、図２は、図１に示す指標掲示装置１を用いて重心動揺計による開眼時の重心動揺測定を行なう際の側面図である。
【００１６】
図１において、指標掲示装置１は、指標掲示板１１、指標１２及び設置金具１３により構成されている。
指標掲示板１１は、ステンレスにより形成された面状の掲示板であり、図１に示すように身長値を示す目盛１１ｂが上下方向に表記されている。
また、この指標掲示板１１には、左端下部に設置マーク１１ａが設けられており、該設置マーク１１ａは、指標掲示装置１を壁等の垂直面に対して所定の高さに設置する際に、設置時の基準となる高さを示す目印である。
【００１７】
指標１２は、開眼検査時に被検者により注視されるものであり、プラスチックにより形成された該指標１２の裏面には、凹部が形成され、該凹部にはマグネットが嵌着されており、磁力により指標掲示板１１上の任意の目盛位置に設置することができるようになっている。
また、この指標１２表面の円周部には、目盛指定マーク１２ａが設けられており、測定者は指標設置の際、該目盛指定マーク１２ａを指標掲示板１１に表記される目盛１１ｂに対して被検者の身長値を示す目盛値に合わせ、指標１２を設置する。
【００１８】
設置金具１３は、指標掲示板１１の上端部中央に取り付けられ、指標掲示装置１を壁等の垂直面に対して設置する際に、該指標掲示装置１を係止する金具である。
また、上記設置金具１３は、図２に示すように、壁等の垂直面に突き刺された固定金具（ピン）１４に掛止することにより、指標掲示装置１を壁等の垂直面に対して設置できるようになっている。
【００１９】
次に、指標掲示装置１の使用方法について説明する。
図２に示すように、上記指標掲示装置１は、重心動揺計による開眼時の重心動揺測定を行なう際に、被検者が視力により直立姿勢を保持するための指標１２を掲示する装置である。
なお、重心動揺計は、図２に示す検出台３と図示しない本体部とから構成されている。
検出台３は、前部、左後部及び右後部の計３ヶ所に図示しない荷重検出部が設けられ、これらの荷重検出部により検出された荷重情報を重心動揺計の本体に出力するようになっている。
また、重心動揺計の本体部は、検出台３から出力された荷重情報を分析して、その分析結果を出力する。
【００２０】
測定を行なう前に、まず、測定者は、図２に示すように指標掲示板１１に設置マーク１１ａとして設けられた設置基準値「１２０」に基づいて、指標掲示装置１を壁等の垂直面に対して所定の高さに設置するとともに、指標掲示装置１正面の、所定距離「Ｓ」だけ離れた位置に検出台３を設置する。
次いで、指標掲示板１１上において、被検者の身長値を示す目盛位置に指標１２を設置する。
この際、測定者は、指標１２に設けられた目盛指定マーク１２ａを指標掲示板１１に表記される目盛１１ｂに対して被検者の身長値を示す目盛値に合わせるようにして指標１２を設置する。
そして、被検者は、靴を脱いで検出台３に上がり、正面の、所定距離「Ｓ」だけ離れた眼の高さに位置する指標１２を注視しながら直立姿勢を保ち、重心動揺測定を受ける。
【００２１】
ここで、図２及び前記図１に基づいて、指標掲示板１１に設置マーク１１ａとして表記されている設置基準値と、身長を示す値として表記されている目盛値との関係について説明する。
上述したように、指標掲示装置１は、指標掲示板１１に表記されている目盛値に対して、被検者の身長値に基づいて指標１２を設置することにより、該指標１２が被検者の眼の高さに設置される装置である。
【００２２】
したがって、指標掲示装置１を壁等の垂直面に対して設置する場合、指標掲示板１１に表記されている目盛１１ｂの各身長値を示す各目盛位置の高さは、床面からの高さに対して被検者の頭頂から眼までの高さ「Ｈ」分だけ相対的に下方に位置しなければならない。
なお、開眼検査時に被検者により注視される指標１２は、図２に示すように所定距離「Ｓ」だけ離れた位置に設置されること等から、厳密に被検者の眼の高さに設置される必要はないので、上記被検者の頭頂から眼までの高さ「Ｈ」は、人間の頭頂から眼までの高さの統計的平均値を用いてもよいことがわかる。
【００２３】
また、図２に示すように、重心動揺計を用いて重心動揺測定を行なう場合、被検者は、靴を脱いだ状態で検出台３の上で直立姿勢を取ことから、検出台３の厚み「Ｍ」分だけ補正を加えなければならないこともわかる。
この検出台３の厚み「Ｍ」を５ｃｍ、人間の頭頂から眼までの高さの統計的平均値を１２ｃｍとすると、指標掲示板１１に表記されている目盛１１ｂの各身長値を示す各目盛位置の高さは、床面からの高さに対して計７ｃｍだけ相対的に下方に位置していればよいことがわかる。
【００２４】
このようなことから、前記図１に示した指標掲示板１１において、設置マーク１１ａとして表記されている設置基準値「１２０」は、身長値を示す目盛値「１２０」の７ｃｍ上方に表記されている。
そして、図２に示すように、上記設置マーク１１ａに基づいて所定の高さに設置された指標掲示装置１及び重心動揺計を用いて開眼時の重心動揺測定を行なう場合、測定者は、被検者に対して身長を尋ね、指標掲示板１１に表記されている目盛値に対して、得られた被検者の身長値に基づいて指標１２の目盛指定マーク１２ａを合わせて設置すれば、上述したように被検者の頭頂から眼までの高さ「Ｈ」及び検出台３の厚み「Ｍ」が補正され、指標１２が被検者の眼の高さに設置される。
【００２５】
以上のようなことから、上記実施の形態の第１例における指標掲示装置１では、指標掲示装置１を指標掲示板１１に設けられた設置マーク１１ａに基づいて所定の高さに設置すると、前記指標掲示板１１に設けられた目盛１１ｂの各身長値を示す各目盛位置の高さが、前記各身長値に対応する身長を有する被検者の眼の高さに略対応する。
【００２６】
したがって、指標掲示板１１上において、被検者の身長に対応する目盛値に指標１２を設置すると、該指標１２が被検者の眼の高さに設置されるので、重心動揺計を用いた開眼時の重心動揺測定を行なう際に、指標の設置に要する手間と時間を短縮することができ、検査効率を向上することが可能となる。
以上が、本発明を適用した指標掲示装置の実施の形態の第１例についての説明である。
【００２７】
なお、本実施の形態の第１例における指標掲示装置１では、指標掲示板１１に設けられた設置マーク１１ａに基づいて、壁等の垂直面に対して該指標掲示装置１を所定の高さに設置する構成としているが、これは、前記内容に限定されるものではなく、例えば、固定金具１４を壁等の垂直面に対して、床面から所定の高さに突き刺し、該固定金具１４に設置金具１３を掛止した場合に、指標掲示装置１が所定の高さに設置される構成としてもよいことは勿論である。
【００２８】
次に、本発明を適用した指標掲示装置の実施の形態の第２例について説明する。
図３及び図４は、本発明の指標掲示装置の実施の形態の第２例について示す図であり、図３は、実施の形態の第２例における指標掲示装置２の外観図であり、図４は、図３に示す指標掲示装置２を用いて重心動揺計による開眼時の重心動揺測定を行なう際の側面図である。
【００２９】
図３において、指標掲示装置２は、ケーシング２０、目盛表示窓２１、目盛付テープ２２、指標２３、引き出し金具２４及び設置金具２５により構成されており、さらに、ケーシング２０には、設置マーク２０ａが、また、目盛表示窓２１には、目盛指定マーク２１ａが設けられている。
ケーシング２０は、プラスチックにより形成されたケースであり、図示しないゼンマイと目盛付テープ２２とを巻き込んだ状態で収納する。
また、このケーシング２０には、上面後部中央に設置マーク２０ａが設けられており、該設置マーク２０ａは、指標掲示装置２を壁等の垂直面に対して所定の高さに設置する際に、設置時の基準となる高さを示す目印である。
【００３０】
さらに、ケーシング２０には、前面下部に角部を削ぎ落とすように斜面部が形成されており、この斜面部には、目盛表示窓２１が開口している。
この目盛表示窓２１は、ケーシング２０に収納されている目盛付テープ２２の、巻き込み巻回時に外面となる側面に表記されている目盛２２ａを視認するための窓であり、透明な面状のプラスチックでカバーされている。
この目盛表示窓２１をカバーする透明プラスチック上には、中央両端部に目盛指定マーク２１ａが設けられており、測定者は、指標設置の際、この目盛指定マーク２１ａが被検者の身長値を示す目盛値を指し示すように目盛付テープ２２をケーシング２０から引き出して指標２３を設置する。
なお、目盛表示窓２１を上記斜面部に設け、該目盛表示窓２１が斜め下方を向くようにしたのは、指標掲示装置２が後述するように人間の眼の高さよりも上方に設置されるので、目盛表示窓２１から目盛付テープ２２の目盛２２ａを見易くするためである。
【００３１】
目盛付テープ２２は、ステンレスにより形成された帯状のテープであり、図示しないゼンマイの張力によりケーシング２０内に巻回される際に、外面となる側面に身長値を示す目盛２２ａが表記され、他方の側面の端部に被検者により注視される指標２３が接着されている。
指標２３は、開眼検査時に被検者により注視されるものであり、目盛付テープ２２の、上記巻回時に内面となる側面の端部に接着されている。
【００３２】
引き出し金具２４は、目盛付テープ２２の指標２３が接着されている端部先端に取付けられ、ケーシング２０に収納されている目盛付テープ２２を引き出すための金具である。
設置金具２５は、ケーシング２０の上面後部両端に取り付けられ、指標掲示装置２を壁等の垂直面に対して設置する際に、該指標掲示装置２を係止する金具である。
また、上記設置金具２５は、図４に示すように、壁等の垂直面に突き刺された固定金具（ピン）２６に掛止することにより、指標掲示装置２を壁等の垂直面に対して設置できるようになっている。
【００３３】
この指標掲示装置２は、周知の自動巻取り式の巻尺装置と同様に、図示しないゼンマイの張力により目盛付テープ２２をケーシング２０内に巻回しながら引き込み、収納する。
なお、ケーシング２０の下面後部に形成される図示しない目盛付テープ収納口には、同じく図示しない収納ストッパが設けられており、この収納ストッパは、目盛付テープ２２を押圧して、上記ゼンマイの張力により戻ろうとする目盛付テープ２２を任意の長さに引き出された状態で停止させ、その状態を保持するようになっている。
また、上記収納ストッパは、目盛付テープ２２を引き出す際には、押圧を解除するようになっており、上記ゼンマイの張力に抗して容易に目盛付テープ２２を引き出せるようになっている。
加えて、上記収納ストッパは、目盛付テープ２２が垂直方向から指標掲示装置２の前面方向に対して所定角度以上の状態となった場合に押圧を解除するようになっており、ゼンマイの張力によりケーシング２０内に目盛付テープ２２を巻回しながら引き込み、収納する。
【００３４】
次に、指標掲示装置２の使用方法について説明する。
図４に示すように、上記指標掲示装置２は、重心動揺計による開眼時の重心動揺測定を行なう際に、被検者が視力により直立姿勢を保持するための指標２３を掲示する装置である。
測定を行なう前に、まず、測定者は、図４に示すようにケーシング２０に設置マーク２０ａとして設けられた設置基準値「２１０」に基づいて、指標掲示装置２を壁等の垂直面に対して所定の高さに設置するとともに、指標掲示装置２正面の、所定距離「Ｓ」だけ離れた位置に検出台３を設置する。
次いで、ケーシング２０の目盛表示窓２１に設けられた目盛指定マーク２１ａが目盛付テープ２２に表記される目盛２２ａに対して被検者の身長値を示す目盛値を指し示すように、前記ケーシング２０内から目盛付テープ２２を引き出して、指標２３を設置する。
そして、前記実施の形態の第１例と同様に、被検者は、靴を脱いで検出台３に上がり、正面の、所定距離「Ｓ」だけ離れた眼の高さに位置する指標２３を注視しながら直立姿勢を保ち、重心動揺測定を受ける。
【００３５】
ここで、図４及び前記図３に基づいて、指標掲示装置２の目盛表示窓２１に設けられた目盛指定マーク２１ａの指し示す目盛値と、床面からの高さとの関係について説明する。
上述したように、指標掲示装置２は、目盛表示窓２１に設けられた目盛指定マーク２１ａが被検者の身長値を示す目盛値を指し示すように、目盛付テープ２２をケーシング２０から下方向に引き出すことにより、目盛付テープ２２の端部に接着された指標２３が被検者の眼の高さに設置される装置である。
【００３６】
したがって、指標掲示装置２の目盛付テープ２２に接着されている指標２３の床面からの高さは、目盛表示窓２１に設けられた目盛指定マーク２１ａが被検者の身長値を示す目盛値を指し示した時に、前記目盛値の示す床面からの高さに対して被検者の頭頂から眼までの高さ「Ｈ」分だけ下方に位置しなければならない。
なお、実施の形態の第１例と同様、開眼検査時に被検者により注視される指標２３は、図４に示すように所定距離「Ｓ」だけ離れた位置に設置されること等から、厳密に被検者の眼の高さに設置される必要はないので、上記被検者の頭頂から眼までの高さ「Ｈ」は、人間の頭頂から眼までの高さの統計的平均値を用いてもよいことがわかる。
【００３７】
また、実施の形態の第１例と同様、図４に示すように、重心動揺計を用いて重心動揺測定を行なう場合、被検者は、靴を脱いだ状態で検出台３の上で直立姿勢を取ことから、検出台３の厚み「Ｍ」分だけ補正を加えなければならないこともわかる。
さらに、目盛付テープ２２に表記される身長値を示す目盛値の最高が「１９０」であるとすると、目盛表示窓２１に設けられた目盛指定マーク２１ａが「１９０」を指し示した時に、指標２３が床面からの高さ「１９０−Ｈ＋Ｍ」に位置するためには、図４に示すように、目盛指定マーク２１ａ位置から床面からの高さ「１９０」に至る「Ｔ」分だけの余分な距離が目盛付テープ２２に必要であることがわかる。
【００３８】
このようなことから、指標掲示装置２の目盛付テープ２２に表記される身長値を示す目盛値の位置は、上記３点、すなわち、人間の頭頂から眼までの高さの統計的平均値、検出台３の厚み「Ｍ」及び目盛指定マーク２１ａ位置から床面からの高さ「１９０」に至るまでの距離「Ｔ」を考慮して決定されている。
そして、図４に示すように、ケーシング２０に設けられた設置マーク２０ａに基づいて所定の高さに設置された指標掲示装置２及び重心動揺計を用いて開眼時の重心動揺測定を行なう場合、測定者は、被検者に対して身長を尋ね、指標掲示装置２の目盛表示窓２１に設けられた目盛指定マーク２１ａが被検者の身長値を指し示すようにケーシング２０内から目盛付テープ２２を引き出せば、上述したように被検者の頭頂から眼までの高さ「Ｈ」、検出台３の厚み「Ｍ」及び目盛指定マーク２１ａ位置から床面からの高さ「１９０」に至るまでの距離「Ｔ」が補正され、指標２３が被検者の眼の高さに設置される。
【００３９】
以上のようなことから、上記実施の形態の第２例における指標掲示装置２では、指標掲示装置２をケーシング２０に設けられた設置マーク２０ａに基づいて所定の高さに設置するとともに、目盛表示窓２１に設けられた目盛指定マーク２１ａが被検者の身長値を指し示すように前記ケーシング２０内から目盛付テープ２２を引き出すと、前記目盛付テープ２２に設けられた指標２３の高さが前記被検者の眼の高さに略対応する。
【００４０】
したがって、被検者の身長に対応する目盛値が目盛表示窓２１に設けられた目盛指定マーク２１ａにより指し示されるように目盛付テープ２２を引き出すと、指標２３が被検者の眼の高さに設置されるので、重心動揺計を用いた開眼時の重心動揺測定を行なう際に、指標の設置に要する手間と時間を短縮することができ、検査効率を向上することが可能となる。
【００４１】
以上、本発明を実施の形態の第１例及び第２例に基づいて具体的に説明したが、本発明は上記実施の形態の例に限定されるものではなく、その要旨を逸脱しない範囲で適宜に変更可能であることは勿論である。
【００４２】
例えば、実施の形態の第１例における指標掲示装置では、指標掲示板１１の材質をステンレスとし、指標１２の裏面にマグネットを取り付けることで、磁力により指標掲示板１１に指標１２を固定する方法を取っているが、これは、前記内容に限定されるものではなく、例えば、指標掲示部材及び指標の材質を布とし、指標掲示部材の表面、あるいは、指標の裏面に小さな爪状の突起を多数設け、この爪状の突起により相手方に係着することで指標掲示部材に指標を固定させるものであってもよいし、あるいは、指標掲示部材に表記される目盛に沿ってレールを設け、このレール上を指標がスライドする構造とし、これに係止機能を備えることで指標掲示部材に指標を固定させるものであってもよい。
【００４３】
また、実施の形態の第２例における指標掲示装置では、目盛指示部として、ケーシング２０の前面に形成される斜面部に目盛表示窓２１及び目盛指定マーク２１ａを設けているが、これは、前記形態に限定されるものではなく、例えば、図５に示すように、ケーシング２０に取り付けられた目盛指示針３０によるものであってもよい。要は、目盛指示部は、測定者により保持部材から帯状部材が引き出された際に、移動する目盛に対して一定の位置を指し示すものであれば、どのような形態であってもよい。
【００４４】
【発明の効果】
請求項１記載の発明によれば、指標掲示部材上において、被検者の身長に対応する目盛値に指標を固定すると、該指標が被検者の眼の高さに設置されるので、被検者が視線を略水平にして前方の指標を注視した状態で行なう必要がある測定に際して、前記指標の設置に要する手間と時間を短縮することができ、検査効率を向上することが可能となる。
【００４５】
また、請求項２記載の発明によれば、被検者の身長に対応する目盛値が目盛指示部材により指し示されるように帯状部材を引き出すと、指標が被検者の眼の高さに設置されるので、被検者が視線を略水平にして前方の指標を注視した状態で行なう必要がある測定に際して、前記指標の設置に要する手間と時間を短縮することができ、検査効率を向上することが可能となる。
【図面の簡単な説明】
【図１】本発明を適用した実施の形態の第１例における指標掲示装置の正面図。
【図２】図１に示す指標掲示装置を用いて重心動揺計による開眼時の重心動揺測定を行なう際の側面図。
【図３】本発明を適用した実施の形態の第２例における指標掲示装置の外観図。
【図４】図３に示す指標掲示装置を用いて重心動揺計による開眼時の重心動揺測定を行なう際の側面図。
【図５】実施の形態の第２例における指標掲示装置の変形例。
【符号の説明】
１    指標掲示装置
２    指標掲示装置
３    検出台
１１    指標掲示板
１１ａ  設置マーク
１１ｂ  目盛
１２    指標
１２ａ  目盛指定マーク
１３    設置金具
１４    固定金具
２０    ケーシング
２０ａ  設置マーク
２１    目盛表示窓
２１ａ  目盛指定マーク
２２    目盛付テープ
２２ａ  目盛
２３    指標
２４    引き出し金具
２５    設置金具
２６    固定金具
３０    目盛指示針
【図１】
0003582909.tif 000002
【図２】
0003582909.tif 000003
【図３】
0003582909.tif 000004
【図４】
0003582909.tif 000005
【図５】
0003582909.tif 000006